(57)【要約】【課題】広い設置スペースを必要とすることなく、詳細な設計図面などの資料を大画面で見ながら会議を行うことが可能となる、テレビ会議システムに好適な会議システムを提供せんとする。【解決手段】正面位置９１に配される第１の表示装置２Ａ，２Ｂと、同じく正面位置９１において、前記第１の表示装置よりも大画面で表示する第２の表示装置２Ｃとが設けられ、第１の表示装置を、会議机８に対して左右の側方位置９２，９３へ移動させるとともに、該移動した位置から会議机に向けて画面表示させる移動機構２０が設けられ、これにより、第１の表示装置が正面位置９１にて画面表示する第１表示姿勢１１と、第１の表示装置２Ａ，２Ｂが移動機構により側方位置９２，９３又は斜め前方位置へ移動し、該位置からそれぞれ会議机に向けて画面表示するとともに、第２の表示装置２Ｃが正面位置９１にて画面表示する第２表示姿勢１２とに、姿勢変更可能に構成される。【選択図】図１
2020113905.tif 000002
【特許請求の範囲】
【請求項１】
会議机に対して前方の正面位置から、会議机のある後方に向けて画面表示する表示装置を備える会議システムであって、
前記表示装置として、前記正面位置に配される第１の表示装置と、同じく前記正面位置において、前記第１の表示装置よりも大画面で表示する第２の表示装置とが設けられ、
前記第１の表示装置を、前記会議机に対して側方位置、又は前記正面位置よりも後方寄りの前記会議机に対して斜め前方位置へ移動させるとともに、該移動した位置から会議机に向けて画面表示させる移動機構が設けられ、
これにより、前記第１の表示装置が前記正面位置にて画面表示する第１表示姿勢と、
前記第１の表示装置が前記移動機構により前記側方位置又は斜め前方位置へ移動し、該位置から会議机に向けて画面表示するとともに、前記第２の表示装置が前記正面位置にて画面表示する第２表示姿勢とに、姿勢変更可能に構成されることを特徴とする、
会議システム。
【請求項２】
前記第１の表示装置として、前記正面位置において左右に並んで配される２つの表示装置が設けられ、
前記移動機構が、第１の表示装置としての前記左右の各表示装置を、それぞれ前記会議机に対して左右の側方位置、又は前記正面位置よりも後方寄りの前記会議机に対して斜め前方位置へ移動させるとともに、該移動した位置からそれぞれ会議机に向けて画面表示させ、
これにより、前記第１表示姿勢は、前記第１の表示装置としての左右の表示装置が前記正面位置にて左右並んで画面表示する姿勢となり、
前記第２表示姿勢は、第１の表示装置としての左右の表示装置が前記移動機構により前記側方位置又は斜め前方位置へ移動し、該位置からそれぞれ会議机に向けて画面表示するとともに、前記第２の表示装置が前記正面位置にて画面表示する姿勢となる、
請求項１記載の会議システム。
【請求項３】
前記移動機構を動作させる駆動手段と、
該駆動手段を制御する駆動制御手段とが設けられた、
請求項１又は２記載の会議システム。
【請求項４】
前記表示装置の画面表示を切り替え制御する切り替え制御手段が設けられ、
前記切り替え制御手段は、前記駆動制御手段に連動し、前記表示装置の表示姿勢の変更に応じて各表示装置の画面表示を制御する、
請求項３記載の会議システム。
【請求項５】
前記第２の表示装置として、前記正面位置の天井又は天井付近に設けられた巻取り軸に巻取り／延展されることで昇降する映写スクリーンが設けられるとともに、該映写スクリーンの昇降駆動手段、および該昇降駆動手段を制御する昇降制御手段が設けられ、
前記昇降制御手段は、前記移動機構の駆動制御手段に連動し、前記表示装置の表示姿勢の変更に応じて第２の表示装置の昇降動作を制御する、
請求項３又は４記載の会議システム。
【請求項６】
前記前方の正面位置に、前記会議机に着席した出席者を撮像するための撮像カメラを設けるとともに、
該撮像カメラを、第２の表示装置の表示画面領域より上下何れかに退避移動させる昇降駆動手段、および該昇降駆動手段を制御する昇降制御手段が設けられ、
前記昇降制御手段は、前記移動機構の駆動制御手段に連動し、前記表示装置の表示姿勢の変更に応じて前記撮像カメラの昇降動作を制御する、
請求項３〜５の何れか１項に記載の会議システム。
【請求項７】
前記移動機構が、
前記第１の表示装置をそれぞれ天井から吊り下げ支持する支持杆と、
前記支持杆の上部に設けられ、該支持杆を軸中心に回動させる回動装置と、
前記回動装置を前記支持杆とともに支持しつつ、前記正面位置から前記側方位置又は斜め前方位置までの間の移動を案内するガイド機構と、
前記回動装置を前記ガイド機構に案内された状態で移動させる駆動機構とより構成される、
請求項１〜６の何れか１項に記載の会議システム。
【請求項８】
前記第１の表示装置、及び第２の表示装置の各表示装置が、それぞれ液晶ディスプレイ、映写スクリーン、電子黒板の何れかである、請求項１〜６の何れか１項に記載の会議システム。
【発明の詳細な説明】
【技術分野】
【０００１】
本発明は、会議机に対して前方（以下、「会議室前方」という。）の正面位置から、会議机のある後方に向けて画面表示する表示装置を備える会議システムに関する。
【背景技術】
【０００２】
この種の会議システムとしては、従来、遠方の会議室との間でインターネット等の通信ネットワークを通じて音声、映像を送受信し、双方で会議に用いる資料などの表示データを共有しながら会議を行う、いわゆる「テレビ会議システム」が提供されている。このようなテレビ会議システムでは、前記のとおり相手方の会議室の映像以外に共有する資料など、会議室前方の正面位置にある画面に複数の画像を分割表示させる必要があった（たとえば、特許文献１、２等参照。）。
【０００３】
しかしながら、このように一画面に複数の画像を分割表示させると、一つの画像あたりの大きさが小さくなってしまい、たとえば詳細な設計図面などを見ながら会議を行う場合などに不便であった。分割表示することなく設計図面などを大きく表示させるために比較的大きい画面を有する表示装置を正面位置に並設することも考えられるが、広い設置スペースが必要となり、大きな会議室に限られてしまう。
【先行技術文献】
【特許文献】
【０００４】
【特許文献１】特開平７−２６４５６６号公報
【特許文献２】特開２０１７−２１６６６８号公報
【発明の概要】
【発明が解決しようとする課題】
【０００５】
そこで、本発明が前述の状況に鑑み、解決しようとするところは、広い設置スペースを必要とすることなく、詳細な設計図面などの資料を大画面で見ながら会議を行うことが可能となる、テレビ会議システムに好適な会議システムを提供する点にある。
【課題を解決するための手段】
【０００６】
本発明者は、かかる現況に鑑み、鋭意検討した結果、会議室の机、座席のレイアウトについて、長机の両短辺を会議室の前方および後方に向け、左右の両長辺に沿って複数の座席が用意されていることが一般的であり、着席した左右の出席者からは、会議室の前方の正面位置だけでなく、対向する側方位置や斜め前方位置も同時に無理せず見ることができることに着目し、本発明を完成するに至った。
【０００７】
すなわち本発明は、以下の発明を包含する。
（１）  会議机に対して前方の正面位置から、会議机のある後方に向けて画面表示する表示装置を備える会議システムであって、前記表示装置として、前記正面位置に配される第１の表示装置と、同じく前記正面位置において、前記第１の表示装置よりも大画面で表示する第２の表示装置とが設けられ、前記第１の表示装置を、前記会議机に対して側方位置、又は前記正面位置よりも後方寄りの前記会議机に対して斜め前方位置へ移動させるとともに、該移動した位置から会議机に向けて画面表示させる移動機構が設けられ、これにより、前記第１の表示装置が前記正面位置にて画面表示する第１表示姿勢と、前記第１の表示装置が前記移動機構により前記側方位置又は斜め前方位置へ移動し、該位置から会議机に向けて画面表示するとともに、前記第２の表示装置が前記正面位置にて画面表示する第２表示姿勢とに、姿勢変更可能に構成されることを特徴とする、会議システム。
【０００８】
（２）  前記第１の表示装置として、前記正面位置において左右に並んで配される２つの表示装置が設けられ、前記移動機構が、第１の表示装置としての前記左右の各表示装置を、それぞれ前記会議机に対して左右の側方位置、又は前記正面位置よりも後方寄りの前記会議机に対して斜め前方位置へ移動させるとともに、該移動した位置からそれぞれ会議机に向けて画面表示させ、これにより、前記第１表示姿勢は、前記第１の表示装置としての左右の表示装置が前記正面位置にて左右並んで画面表示する姿勢となり、前記第２表示姿勢は、第１の表示装置としての左右の表示装置が前記移動機構により前記側方位置又は斜め前方位置へ移動し、該位置からそれぞれ会議机に向けて画面表示するとともに、前記第２の表示装置が前記正面位置にて画面表示する姿勢となる、（１）記載の会議システム。
【０００９】
（３）  前記移動機構を動作させる駆動手段と、該駆動手段を制御する駆動制御手段とが設けられた、（１）又は（２）記載の会議システム。
【００１０】
（４）  前記表示装置の画面表示を切り替え制御する切り替え制御手段が設けられ、前記切り替え制御手段は、前記駆動制御手段に連動し、前記表示装置の表示姿勢の変更に応じて各表示装置の画面表示を制御する、（３）記載の会議システム。
【００１１】
（５）  前記第２の表示装置として、前記正面位置の天井又は天井付近に設けられた巻取り軸に巻取り／延展されることで昇降する映写スクリーンが設けられるとともに、該映写スクリーンの昇降駆動手段、および該昇降駆動手段を制御する昇降制御手段が設けられ、前記昇降制御手段は、前記移動機構の駆動制御手段に連動し、前記表示装置の表示姿勢の変更に応じて第２の表示装置の昇降動作を制御する、（３）又は（４）記載の会議システム。
（６）  前記前方の正面位置に、前記会議机に着席した出席者を撮像するための撮像カメラを設けるとともに、該撮像カメラを、第２の表示装置の表示画面領域より上下何れかに退避移動させる昇降駆動手段、および該昇降駆動手段を制御する昇降制御手段が設けられ、前記昇降制御手段は、前記移動機構の駆動制御手段に連動し、前記表示装置の表示姿勢の変更に応じて前記撮像カメラの昇降動作を制御する、（３）〜（５）の何れかに記載の会議システム。
【００１２】
（７）  前記移動機構が、前記第１の表示装置をそれぞれ天井から吊り下げ支持する支持杆と、前記支持杆の上部に設けられ、該支持杆を軸中心に回動させる回動装置と、前記回動装置を前記支持杆とともに支持しつつ、前記正面位置から前記側方位置又は斜め前方位置までの間の移動を案内するガイド機構と、前記回動装置を前記ガイド機構に案内された状態で移動させる駆動機構とより構成される、（１）〜（６）の何れかに記載の会議システム。
（８）  前記第１の表示装置、及び第２の表示装置の各表示装置が、それぞれ液晶ディスプレイ、映写スクリーン、電子黒板の何れかである、（１）〜（６）の何れかに記載の会議システム。
【発明の効果】
【００１３】
本発明に係る会議システムによれば、上記第１表示姿勢にて、正面に位置する第１及の表示装置の画面で通常の会議を行うことができるとともに、例えば会議の途中に、詳細な設計図面などの資料を大画面で見ながら会議を行いたい様の場合には、第２表示姿勢にて、正面により大きく画面表示される第２の表示装置により前記詳細な設計図面などを表示させ、且つ側方の位置又は斜め前方の位置に移動した第１の表示装置により相手方の会議室の映像その他を表示させることができる。
特に、第１の表示装置として左右２つの表示装置を設けたものでは、上記第１表示姿勢
にて、正面に位置する第１及の表示装置の左右２つの各画面に、相手方の会議室の映像や会議の資料などを並べて表示させ、通常の会議を行うことができるとともに、例えば会議の途中に、詳細な設計図面などの資料を大画面で見ながら会議を行いたい様の場合には、第２表示姿勢にて、正面により大きく画面表示される第２の表示装置により前記詳細な設計図面などを表示させ、且つ左右側方の位置又は斜め前方の位置に移動した第１の表示装置の各表示装置により相手方の会議室の映像その他を表示させ、会議室前方を向かって右側に着席している出席者は正面の大画面と左側方又は左斜め前方に移動している第１の表示装置の画面とを見て、無理なく会議を続けることができ、反対の左側に着席している出席者は正面の大画面と右側方又は右斜め前方に移動している第２の表示装置の画面とを見て、同じく無理なく会議を続けることができることになる。
【００１４】
そして、このような本発明において、上記第１表示姿勢および第２表示姿勢はいずれも広い設置スペースを必要とせず、効率よく大画面を用いた詳細な資料による会議を可能とする。すなわち、本発明のように第１表示姿勢から第２表示姿勢に切り替えることで、狭い会議室の空間においても２つの画面を見ながら、一方を大画面にしてマルチ画面の会議を行うことができる。
【００１５】
ここで、前記移動機構を動作させる駆動手段と、該駆動手段を制御する駆動制御手段とが設けられたものでは、自動的に表示姿勢を変更することが可能になり、利便性が向上する。
【００１６】
また、前記表示装置の画面表示を切り替え制御する切り替え制御手段が設けられ、切り替え制御手段は、前記駆動制御手段に連動し、前記表示装置の表示姿勢の変更に応じて各表示装置の画面表示を制御するものでは、表示姿勢の変更に連動して画面表示の切り替えも自動で行わせることができる。
【００１７】
また、前記第２の表示装置として、前記前方の位置の天井又は天井付近に設けられた巻取り軸に巻取り／延展されることで昇降する映写スクリーンが設けられるとともに、該映写スクリーンの昇降駆動手段、および該昇降駆動手段を制御する昇降制御手段が設けられ、前記昇降制御手段は、前記移動機構の駆動制御手段に連動し、前記表示装置の表示姿勢の変更に応じて第２の表示装置の昇降動作を制御するものでは、第２の表示装置を使用しない上記第１表示姿勢において、第２の表示装置の表示画面（映写スクリーン）を巻き取って収納しておくことができ、会議スペースが効率化し、見栄えも向上する。また、第１表示姿勢の第１の表示装置の表示画面の位置とほぼ同じ正面位置に第２の表示装置の画面を設定することができるとともに、第２表示姿勢に移行する第１の表示装置の移動を妨げること（第１の表示装置と第２の表示装置の表示画面の相互の干渉）も容易に回避できる。
【００１８】
また、正面位置の位置に、前記会議机に着席した出席者を撮像するための撮像カメラを設けるとともに、該撮像カメラを、第２の表示装置の表示画面領域より上下何れかに退避移動させる昇降駆動手段、および該昇降駆動手段を制御する昇降制御手段が設けられ、前記昇降制御手段は、前記移動機構の駆動制御手段に連動し、前記表示装置の表示姿勢の変更に応じて前記撮像カメラの昇降動作を制御するものでは、第２の表示装置による画面表示を邪魔することなく、両表示姿勢とも、前方の最も良い中央の位置で会議室の様子を自動的に撮像することが可能となる。
【００１９】
また、前記移動機構が、前記第１の表示装置をそれぞれ天井から吊り下げ支持する支持杆と、前記支持杆の上部に設けられ、該支持杆を軸中心に回動させる回動装置と、前記回動装置を前記支持杆とともに支持しつつ、前記前方の位置から前記側方の位置又は斜め前方の位置までの間の移動を案内するガイド機構と、前記回動装置を前記ガイド機構に案内
された状態で移動させる駆動機構とより構成されるものでは、第２の姿勢において第１の表示装置の画面を対向する側に着席している出席者が見やすい角度に向けることができ、これら位置の移動および角度変更を自動的に効率良く行うことが可能となる。
【図面の簡単な説明】
【００２０】
【図１】本発明の代表的実施形態に係る会議システムにおける第１表示姿勢の状態を示す説明図。
【図２】同じく会議システムにおける第２表示姿勢の状態を示す説明図。
【図３】（ａ），（ｂ）は各表示姿勢にて会議の出席者が見る表示画面を示す説明図。
【図４】同じく会議システムにおけるテレビ会議端末の構成を示す説明図。
【図５】同じく会議システムにおける第１の表示装置の移動機構を示す説明図。
【図６】同じく移動機構を示す断面図。
【図７】同じく移動機構を構成する回動装置の断面図。
【図８】本発明の変形例に係る会議システムを示す説明図。
【発明を実施するための形態】
【００２１】
次に、本発明の実施形態を添付図面に基づき詳細に説明する。
【００２２】
本発明に係る会議システム１は、図１及び図２に示すように、会議机８に対して前方の正面位置９１から、会議机８のある後方に向けて画面表示する表示装置（２Ａ，２Ｂ，２Ｃ）を備えている。表示装置は、図１に示すように正面位置９１において左右に並んで配される第１の表示装置としての２つの表示装置（２Ａ、２Ｂ）と、図２に示すように、同じく正面位置９１において、２つの第１の表示装置（２Ａ，２Ｂ）よりも大画面で表示する第２の表示装置２Ｃとが設けられている。
【００２３】
また、２つの第１の表示装置（２Ａ，２Ｂ）を、それぞれ会議机８に対して左右の側方位置（９２、９３）、又は前記正面位置９１よりも後方寄りで会議机８に対して斜め前方の位置（斜め前方位置９４、９５）へ移動させるとともに、該移動した位置からそれぞれ会議机８に向けて画面表示させる移動機構２０が設けられている。
【００２４】
この移動機構２０の動作により、図１に示すように前記第１の表示装置（２Ａ，２Ｂ）が正面位置９１にて画面表示する第１表示姿勢１１と、図２に示すように第１の表示装置（２Ａ，２Ｂ）が前記移動機構２０により左右の側方位置９２、９３（又は斜め前方位置９４、９５）へ移動し、該位置からそれぞれ会議机８に向けて画面表示するとともに、第２の表示装置２Ｃが正面位置９１にて画面表示する第２表示姿勢１２とに、姿勢変更可能に構成されている。
【００２５】
このように表示装置の姿勢を変更できるようにすることで、まず第１表示姿勢１１においては、図３（ａ）に示すように、正面位置９１に位置している第１の表示装置２Ａ，２Ｂの左右２つの各画面（表示部）に、相手方の会議室の映像や会議の資料などを並べて表示させ、通常の会議を行うことができる。また、会議の途中などに、たとえば詳細な設計図面などの資料を大画面で見ながら会議を行いたい等の状況が生じた場合、図３（ｂ）に示すように、第２表示姿勢１２にて、正面位置に大きく画面表示される第２の表示装置２Ｃの表示部によって前記詳細な設計図面などを正面に表示させるとともに、左右側方位置９２、９３（又は斜め前方位置９４、９４）に移動した第１の表示装置２Ａ，２Ｂの各表示装置の表示部によって相手方の会議室の映像その他を表示させることができる。
【００２６】
第２表示姿勢１２においては、図３（ｂ）からも分かるように、会議室前方向かって右側に着席している出席者（Ｄ１、Ｄ２、Ｄ３）は、正面の大画面（表示装置２Ｃの表示部）と左側方（又は左斜め前方）に移動している第１の表示装置２Ａの画面とを見て、無理
なく会議を続けることができ、反対の左側に着席している出席者（Ｅ１，Ｅ２，Ｅ３）は正面の大画面（表示装置２Ｃの表示部）と右側方（又は右斜め前方）に移動している第１の表示装置２Ｂの画面とを見て、同じく無理なく効率良く会議を続けることができる。
【００２７】
すなわち、第１表示姿勢１１では、２つの第１の表示装置（２Ａ，２Ｂ）に互いに異なる画像（たとえば、一方に会議資料、他方に相手方会議室のカメラ映像）を表示し、第１表示姿勢１２では、２つの第１の表示装置（２Ａ，２Ｂ）に互いに同じ映像（たとえば相手方会議室のカメラ映像）を表示し、且つ第２の表示装置２Ｃの表示部に会議資料を大画面で表示し、全体として広い設置スペースを必要とすることなく、マルチ画面のテレビ会議を続けることが可能となる。勿論、各表示装置に表示する内容は他のものでもよく、第１表示姿勢１１で２つの第１、第２の表示装置（２Ａ，２Ｂ）に互いに同じ内容を表示してもよいし、第２表示姿勢１２で互いに異なる内容を表示してもよい。
【００２８】
第１の表示装置（２Ａ，２Ｂ）は、液晶ディスプレイや電子黒板、ホワイトボード、映写スクリーンなど、公知の会議システムに用いられる種々の表示装置により構成することができる。第１の表示装置（２Ａ，２Ｂ）を移動させる上述の移動機構２０としては、手動のものでもよいが、本例では、図４〜図７に示すように、移動機構２０を動作させる駆動手段２２と、該駆動手段２２を制御する駆動制御手段とが設けられ、自動的に表示姿勢を変更することが可能に構成されている。駆動制御手段は、後述するテレビ会議端末４の処理装置４０により実現される。
【００２９】
移動機構２０は、図５に示すように、第１の表示装置２Ａ（２Ｂ）を天井から吊り下げ支持する支持杆５０と、該支持杆５０の上部に設けられ、該支持杆５０を軸中心に回動させる回動装置５１と、回動装置５１を支持杆５０とともに支持しつつ、上述の正面位置９１から側方位置９２（９３）又は斜め前方位置９４（９５）までの間の移動を案内するガイド機構５２と、回動装置５１をガイド機構５２に案内された状態で移動させる駆動機構５３とより構成されている。
【００３０】
回動装置５１は、図６に示すように、支持杆５０の上部を回動可能に支持する筐体フレーム５４を備えている。筐体フレーム５４の底板５４０には支持筒５５が貫通して設けられており、該支持筒５５内に支持杆５０が貫通した状態で回転可能に取付けられている。符号７３は天井パネル９５に取り付ける化粧パネルであり、中央部には、支持筒５５が貫通した状態で正面位置９１から側方位置９２（９３）又は斜め前方位置９４（９５）までの範囲を移動可能とするスリット７３ｂが設けられている。
【００３１】
筐体フレーム５４内において支持筒５５の上側に突出する支持杆５０上端部には回動ベース板５６が固定されている。回動ベース板５６は、下面側に設けられた車輪５７により、筐体フレーム５４内における前記底板５４０上面の上を、支持杆５０の中心軸を中心とした周方向に移動可能とされている。このように、支持杆５０は回動ベース板５６とともに筐体フレーム５４の底板５４０上に回動可能に支持されている。
【００３２】
また、図６及び図７に示すように、回動装置５１の支持杆５０を回動させる回動駆動機構として、前記筐体フレーム５４の底板５４０の上面に前記支持杆５０の中心軸と同軸状に固定された固定歯車５８と、回動ベース板５６の下面側に突設され、前記固定歯車５８と歯合し、固定歯車５８の周囲を転動する回動歯車５９と、同じく回動ベース板５６上に設けられ、回動歯車５９を回動させる減速機構６０及び回動モータ６１とが設けられている。回動モータ６１は駆動手段２２を構成している。
【００３３】
ガイド機構５２は、図５及び図６に示すように、回動装置５１の上記筐体フレーム５４の上面側に延びる支柱６２と、該支柱の先端に設けられた車輪６３と、該車輪６３を受け
入れて長手方向に沿って移動可能に支持する案内レール６４とが設けられている。案内レール６４は、支持パイプ６５を介してスラブに吊り下げ支持された支持フレーム６６の下面に取り付けられている。支持フレーム６６は、少なくとも上記正面位置９１から側方位置９２（９３）又は斜め前方位置９４（９５）までの範囲にわたって設けられており、案内レール６４も前記範囲にわたって該支持フレーム６６の下面に水平に配設されている。
【００３４】
駆動機構５３は、上記範囲の両端位置に設けられたプーリ６７、６８間に掛け渡される環状ベルト６９と、回動装置５１の筐体フレーム５４から上方に突設され、前記環状ベルト６９に固定されるブラケット板７０と、プーリ６７を回動させ、環状ベルト６９と一体的にブラケット板７０を前記範囲内を往復移動させるための減速機構７１及び回動モータ７２とが設けられている。回動モータ７２は駆動手段２２を構成している。支持フレーム６６には、前記ブラケット板７０を上下に貫通した状態で上記移動を可能とするスリット６６ｂが設けられている。
【００３５】
第２の表示装置２Ｃは、第１の表示装置（２Ａ，２Ｂ）の各表示装置の画面よりも大画面で表示できるものであれば、どのようなものでもよく、液晶ディスプレイや電子黒板、映写スクリーンなど、種々の公知の会議システムに用いられる表示装置を用いることができ、会議室前方（正面）の白色系の壁などにプロジェクタで映写するものも含まれる。本例では、第２の表示装置２Ｃの表示部として、正面位置９１の天井又は天井付近に設けられた巻取り軸に巻取り／延展されることで昇降する映写スクリーン２が設けられている。
【００３６】
また、第２の表示装置２Ｃとしては、さらに上記映写スクリーン２１の昇降駆動手段２５、該昇降駆動手段２５を制御する昇降制御手段、および映写スクリーン２１に映像を映し出すプロジェクタ装置２４が設けられている。昇降駆動手段２５およびプロジェクタ装置２４は、従来から公知のものを採用できる。本例のプロジェクタ装置２４は、使用しないときに天井裏に収納するための図示しない昇降機構が設けられており、該昇降機構は映写スクリーン２１の昇降駆動手段２５に連動して動作するように、昇降制御手段により制御される。昇降制御手段は、後述するテレビ会議端末４の処理装置４０により実現される。
【００３７】
正面位置９１の左右２つ並んだ第１の表示装置（２Ａ，２Ｂ）の間の位置には、会議机８に着席した出席者を撮像するための撮像カメラ３が設けられており、さらに、撮像カメラ３を第２の表示装置の表示画面領域より上下何れかに退避移動させる昇降駆動手段３０、および該昇降駆動手段３０を制御する昇降制御手段が設けられている。昇降制御手段は、後述するテレビ会議端末４の処理装置４０により実現される。
【００３８】
これら表示装置２Ａ〜２Ｃ、および撮像カメラ３は、会議室の内外に設けられるテレビ会議端末に接続され、表示姿勢や画面表示する内容等が制御される。このようなテレビ会議端末４としては、図４に示すように、処理装置４０と記憶装置４１と通信制御部４２とキーボードやマウス、各種スイッチ等の操作部４３とを備える公知のテレビ会議端末コンピュータを利用することができる。
【００３９】
テレビ会議端末４は、通信制御部４２および通信ネットワークを通じて相手方の会議室のテレビ会議端末やテレビ会議サーバに通信接続され、該サーバを通じて相手方のテレビ会議端末に対し、映像、音声、資料データなどの送受信を行う。テレビ会議端末４には、表示装置２Ａ〜２Ｃ及び撮像カメラ３以外に、出席者の音声を入力するマイク４４、スピーカ４５などが接続され、出席者の携帯端末（ノート型パソコン等）も有線又は無線で通信制御部４２を通じて接続可能とされている。
【００４０】
処理装置４０は、マイクロプロセッサなどのＣＰＵを主体に構成され、入出力部やバス
ラインを通じて各種情報が入出力される。また、記憶装置４１は、処理装置４０内外のＲＡＭ、ＲＯＭなどの記憶メモリや装置内外のハードディスク等より構成され、処理装置４０における各種処理動作の手順を規定するプログラムや処理データが記憶される。
【００４１】
処理装置４０は、具体的には、移動機構２０の駆動手段２２の動作を制御する駆動制御手段としての駆動制御処理部２３、映写スクリーン２１の昇降駆動手段２５およびプロジェクタの昇降駆動の動作を制御する昇降制御手段としての第１の昇降制御処理部２６、撮像カメラの昇降駆動手段３０の動作を制御する昇降制御手段としての第２の昇降制御処理部３１、第１〜第２の表示装置２Ａ〜２Ｃの画面表示の内容を制御する表示制御手段としての表示処理部４６、撮像カメラによる撮像動作を制御し、出力された映像データを記憶装置４１に記憶する撮像処理部４７、並びに、マイク、スピーカの音声入出力を制御する音声制御処理部４８を少なくとも備えている。
【００４２】
昇降制御処理部２６は、移動機構の駆動制御処理部２３に連動し、前記表示装置の表示姿勢の変更の内容に応じて第２の表示装置の昇降動作を制御する。また、昇降制御処理部３１についても、移動機構２０の駆動制御処理部２３に連動し、前記表示装置の表示姿勢の変更の内容に応じて前記撮像カメラ３の昇降駆動手段３０による昇降動作を制御する。
【００４３】
表示処理部４６は、表示装置の画面表示を切り替え制御する切り替え制御手段としての切り替え制御処理部４８が設けられており、この切り替え制御処理部４８は、駆動制御処理部２３に連動し、表示装置２の表示姿勢の変更に応じて各表示装置２の画面表示を制御する。
【００４４】
以上、本発明の実施形態について説明したが、本発明はこうした実施例に何ら限定されるものではなく、本発明の要旨を逸脱しない範囲において種々なる形態で実施し得ることは勿論である。
【００４５】
例えば、上述の代表的実施形態では、遠隔地の会議室の端末とサーバを通じて通信接続し、テレビ会議を行うことができるシステムを例に説明したが、本発明はこのようなテレビ会議システムを構築するものに何ら限定されず、本発明にかかる第１〜第２の表示装置が設置された会議室内のクローズされた環境で行う会議のシステムとして構成することも勿論可能である。また、会議端末を設けることなく、上述の表示姿勢を手動で切り替えるようにしたものでもよい。
【００４６】
また、上記代表的実施形態の説明では、第１の表示装置を２つ（２Ａ，２Ｂ）設けているが、図８に示すように第１の表示装置を１つのみ（２Ａのみ）設けたものでもよい。図８の例では、斜め前方位置９４に固定式（位置が移動しない）の第３の表示装置２Ｄが設けられているが、これを省略してもよい。本例によれば、会議の出席者は第１表示姿勢１１（図中（ａ））では正面位置の第１の表示装置２Ａ（と第３の表示装置２Ｄ）を見て会議し、第２表示姿勢１２（図中（ｂ））では正面の第２の表示装置２Ｃと斜め前方位置９５に移動した第１の表示装置２Ａ（と第３の表示装置２Ｄ）を見ながら会議を行うことができる。
【符号の説明】
【００４７】
１  会議システム
２Ａ−２Ｄ  表示装置
３  撮像カメラ
４  テレビ会議端末
８  会議机
１１  第１表示姿勢
１２  第２表示姿勢
２０  移動機構
２１  映写スクリーン
２２  駆動手段
２３  駆動制御処理部
２４  プロジェクタ装置
２５  昇降駆動手段
２６  昇降制御処理部
３０  昇降駆動手段
３１  昇降制御処理部
４０  処理装置
４１  記憶装置
４２  通信制御部
４３  操作部
４４  マイク
４５  スピーカ
４６  表示処理部
４７  撮像処理部
４８  音声制御処理部
５０  支持杆
５１  回動装置
５２  ガイド機構
５３  駆動機構
５４  筐体フレーム
５５  支持筒
５６  回動ベース板
５７  車輪
５８  固定歯車
５９  回動歯車
６０  減速機構
６１  回動モータ
６２  支柱
６３  車輪
６４  案内レール
６５  支持パイプ
６６  支持フレーム
６７  プーリ
６９  環状ベルト
７０  ブラケット板
７１  減速機構
７２  回動モータ
７３  化粧パネル
９１  正面位置
９２、９３  側方位置
９４、９５  斜め前方位置
９６  天井パネル
５４０  底板
【図１】
2020113905.tif 000003
【図２】
2020113905.tif 000004
【図３】
2020113905.tif 000005
【図４】
2020113905.tif 000006
【図５】
2020113905.tif 000007
【図６】
2020113905.tif 000008
【図７】
2020113905.tif 000009
【図８】
2020113905.tif 000010